(57)【要約】【課題】レティネックス処理を少ない記憶容量で高速で行うことができる画像処理装置を提供する。【解決手段】印刷パラメータとして選択された印刷モードが写真モードか普通モードであるかを判定する（Ｓ３１）。印刷モードが、写真モードである場合は、写真モード用のテーブルを選択し（Ｓ３２）、印刷モードが、普通モードである場合は、写真モード用のテーブルを選択し（Ｓ３３）、印刷パラメータとしてい設定されている用紙種類、用紙サイズ、および元画像サイズメモリ１３ｄに記憶されている元画像サイズとから、設定されている縮小画像サイズと縮小アルゴリズムとを読み出し、縮小画像サイズメモリ１３ｆと縮小アルゴリズムメモリ１３ｇとにそれぞれ記憶する（Ｓ３４）。【選択図】図７
2008060944.tif 000002
【特許請求の範囲】
【請求項１】
元画像の補正処理を行い、その補正処理された画像を印刷する印刷手段を備えた画像処理装置において、
前記印刷手段により印刷される画像の画質を設定する画質設定手段と、
その画質設定手段により設定された画質に応じて縮小画像のサイズを設定する縮小画像サイズ設定手段と、
その縮小画像サイズ設定手段により設定されたサイズに元画像を縮小し、その縮小画像の各画素について、画素の値とその画素の周辺平均値とから反射率を求めることにより縮小レティネックス画像を形成する縮小レティネックス画像形成手段と、
その縮小レティネックス画像形成手段により形成された縮小レティネックス画像の画素値が取る値の全範囲における各画素値の頻度を集計し、正規化を行う際のパラメータを設定する正規化パラメータ設定手段と、
前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えていることを特徴とする画像処理装置。
【請求項２】
前記印刷手段により印刷される記録媒体の種類を設定する記録媒体種類設定手段を備え、
前記縮小画像サイズ設定手段は、前記画質設定手段により設定された画質と、前記記録媒体種類設定手段により設定された記録媒体の種類とに応じて縮小画像のサイズを設定することを特徴とする請求項１記載の画像処理装置。
【請求項３】
前記印刷手段により印刷される記録媒体のサイズを設定する記録媒体サイズ設定手段を備え、
前記縮小画像サイズ設定手段は、前記画質設定手段により設定された画質と、前記記録媒体サイズ設定手段により設定された記録媒体のサイズとに応じて縮小画像のサイズを設定することを特徴とする請求項１記載の画像処理装置。
【請求項４】
前記元画像のサイズを設定する元画像サイズ設定手段を備え、
前記縮小画像サイズ設定手段は、前記画質設定手段により設定された画質と、前記元画像サイズ設定手段により設定された元画像のサイズとに応じて縮小画像のサイズを設定することを特徴とする請求項１記載の画像処理装置。
【請求項５】
前記画質設定手段は、前記印刷手段により印刷される画像の解像度を設定する解像度設定手段を備えていることを特徴とする請求項１から４のいずれかに記載の画像処理装置。
【請求項６】
元画像の補正処理を行い、その補正処理された画像を印刷する印刷手段を備えた画像処理装置において、
前記印刷手段により印刷される記録媒体の種類を設定する記録媒体種類設定手段と、
その記録媒体種類設定手段により設定された記録媒体の種類に応じて縮小画像のサイズを設定する縮小画像サイズ設定手段と、
その縮小画像サイズ設定手段により設定されたサイズに元画像を縮小し、縮小画像の各画素について、画素の値とその画素の周辺平均値とから反射率を求めることにより縮小レティネックス画像を形成する縮小レティネックス画像形成手段と、
その縮小レティネックス画像形成手段により形成された縮小レティネックス画像の画素値が取る値の全範囲における各画素値の頻度を集計し、正規化を行う際のパラメータを設定する正規化パラメータ設定手段と、
前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えていることを特徴とする画像処理装置。
【請求項７】
前記元画像のサイズを設定する元画像サイズ設定手段を備え、
前記縮小画像サイズ設定手段は、前記記録媒体種類設定手段により設定された記録媒体の種類と、前記元画像サイズ設定手段により設定された元画像のサイズとに応じて縮小画像のサイズを設定することを特徴とする請求項６記載の画像処理装置。
【請求項８】
前記印刷手段により印刷される記録媒体のサイズを設定する記録媒体サイズ設定手段を備え、
前記縮小画像サイズ設定手段は、前記記録媒体種類設定手段により設定された記録媒体の種類と、前記記録媒体サイズ設定手段により設定された記録媒体のサイズとに応じて縮小画像のサイズを設定することを特徴とする請求項６記載の画像処理装置。
【請求項９】
元画像の補正処理を行い、その補正処理された画像を印刷する印刷手段を備えた画像処理装置において、
前記元画像のサイズを設定する元画像サイズ設定手段と、
その元画像サイズ設定手段により設定された元画像のサイズに応じて縮小画像のサイズを設定する縮小画像サイズ設定手段と、
その縮小画像サイズ設定手段により設定されたサイズに元画像を縮小し、その縮小画像の各画素について、画素の値とその画素の周辺平均値とから反射率を求めることにより縮小レティネックス画像を形成する縮小レティネックス画像形成手段と、
その縮小レティネックス画像形成手段により形成された縮小レティネックス画像の画素値が取る値の全範囲における各画素値の頻度を集計し、正規化を行う際のパラメータを設定する正規化パラメータ設定手段と、
前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えていることを特徴とする画像処理装置。
【請求項１０】
前記印刷手段により印刷される記録媒体のサイズを設定する記録媒体サイズ設定手段を備え、
前記縮小画像サイズ設定手段は、前記元画像サイズ設定手段により設定された元画像のサイズと、前記記録媒体サイズ設定手段により設定された記録媒体のサイズとに応じて縮小画像のサイズを設定することを特徴とする請求項９記載の画像処理装置。
【請求項１１】
元画像の補正処理を行い、その補正処理された画像を印刷する印刷手段を備えた画像処理装置において、
前記印刷手段により印刷される記録媒体のサイズを設定する記録媒体サイズ設定手段と、
その記録媒体サイズ設定手段により設定された記録媒体のサイズに応じて縮小画像のサイズを設定する縮小画像サイズ設定手段と、
その縮小画像サイズ設定手段により設定されたサイズに元画像を縮小し、その縮小画像の各画素について、画素の値とその画素の周辺平均値とから反射率を求めることにより縮小レティネックス画像を形成する縮小レティネックス画像形成手段と、
その縮小レティネックス画像形成手段により形成された縮小レティネックス画像の画素値が取る値の全範囲における各画素値の頻度を集計し、正規化を行う際のパラメータを設定する正規化パラメータ設定手段と、
前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えていることを特徴とする画像処理装置。
【請求項１２】
前記縮小レティネックス画像形成手段により形成された縮小レティネックス画像を記憶する記憶手段を備え、
前記正規化パラメータ設定手段は、前記記憶手段に記憶された縮小レティネックス画像に基づいて正規化を行う際のパラメータを設定することを特徴とする請求項１から１１のいずれかに記載の画像処理装置。
【発明の詳細な説明】
【技術分野】
【０００１】
本発明は、画像処理装置に関し、特にレティネックス処理を少ない記憶容量で高速に行うことができる画像処理装置に関するものである。
【背景技術】
【０００２】
逆光条件下で被写体が撮像された場合、被写体部分の画像は、詳細な態様が判別困難となるほど明度やコントラストの低い不明瞭な逆光画像となる。かかる逆光画像のみならず、露光の過不足や、撮像時のぶれやぼけ、ノイズ、光量不足などによる劣悪な画像を、画像処理によって明度やコントラストを向上させて画質を改良することが行われている。かかる画像処理の１手法として、レティネックス処理（Ｒｅｔｉｎｅｘ処理）が知られている。
【０００３】
レティネックス処理は、高画質部分については入力画像データを保持し、主に低画質部分の画質改良を行うものである。このレティネックス処理では、ガウスフィルタにより、元の画像の各画素データを周辺画素の画素データを反映させた値に補正し、その補正された画素データの自然対数から元の画像の反射率（リフレクタンス）成分データを算出し、元画像の画素成分で元の画像の画素データを除してイルミナンス成分データを算出する。つまり、元の画像を、反射率成分とイルミナンス成分との２の構成成分に分けるのである。そして、イルミナンス成分に対してガンマ補正等の明度や階調（コントラスト）を補正する処理を行った後、その補正されたイルミナンス成分と、反射率成分とを合成することにより、元の画像に対し逆光画像部分などの低画質部分の画質が改良された画像データを生成することができる。反射率成分を求めるには、反射率Ｒ（ｘ，ｙ）の正規化を行う。
【０００４】
ここで、図９を参照して、反射率Ｒ（ｘ，ｙ）の正規化について説明する。反射率Ｒ（ｘ，ｙ）は、次式により算出される。
【０００５】
【数１】
2008060944.tif 000003
ここで、ｘは、横方向の座標を、ｙは、縦方向の座標を、Ｉ（ｘ，ｙ）は、座標（ｘ，ｙ）における強度値を、Ｆ（ｘ，ｙ）は、所定の領域を有するフィルタのフィルタ係数を、＊は、畳み込み演算（コンボリューション）をそれぞれ示し、この畳み込み演算により周辺平均値（周辺平均値）が求められる。なお、ｌｏｇは、ｅを底とする自然対数である。
【０００６】
図９は、ある静止画像について、上式により求められた反射率Ｒ（ｘ，ｙ）の最小値を０、最大値を２５５とする０から２５５の範囲の整数値に正規化し、各整数の出現頻度を集計したヒストグラムである。
【０００７】
このヒストグラムからメディアン値Ｍを求め、メディアン値から大きい側へ４５％の画素数を含む範囲の上限値をＵ、メディアン値から小さい側へ４５％の画素数を含む範囲の下限値をＤとする。
【０００８】
ＵおよびＤの値に対応するＲ（ｘ，ｙ）の値を、ＵｐＲ、ＤｏｗｎＲとし、正規化反射率ｒｅｆｌｅ（ｘ，ｙ）は、Ｒ（ｘ，ｙ）の値がＤｏｗｎＲ以下の場合は、０．０とし、Ｒ（ｘ，ｙ）の値がＵｐＲ以上の場合は、１．０とし、Ｒ（ｘ，ｙ）の値がＤｏｗｎＲより大きくＵｐＲより小さい場合は、
【０００９】
【数２】
2008060944.tif 000004
とする。
【００１０】
このように処理するとｒｅｆｌｅ（ｘ，ｙ）は、０．０から１．０の間の値を取るように正規化される。実験によれば、こうして得られた値に、０．３を加算し、ｒｅｆｌｅ（ｘ，ｙ）の値が０．３から１．３の値を取るようにするのがよいことが判明している。
【００１１】
このようにしてｒｅｆｌｅ（ｘ，ｙ）が求められるので、クリップされる範囲（ＵｐＲとＤｏｗｎＲとの間）を求めるため、Ｒ（ｘ，ｙ）を全画素分記憶しなければならない。尚かつ、Ｒ（ｘ，ｙ）は、対数演算により求まる数値であるので、小数点を用いて記録する必要があり、浮動小数点では、４バイト、倍精度実数の場合には８バイトで画素毎に記憶するため膨大な記憶容量が必要である。
【００１２】
特開２００１−６９５２５号公報（特許文献１）には、このレティネックス処理をＲＧＢの各プレーンで独立に行った場合に、カラーバランスが崩れたり色ずれが発生するという問題点を解決するために、ＲＧＢ値をＹＣｂＣｒやＹＩＱという輝度成分と色成分により構成される座標空間に変換し、輝度成分Ｙに対してのみレティネックス処理を施し、色成分を維持したまま、ＲＧＢに戻すという方法が開示されている。この方法を用いると輝度成分のみが調整され、色成分は調整されないのでカラーバランスが崩れたり色ずれが発生することがない。また、この方法では、輝度成分のみにレティネックス処理を行うので、ＲＧＢの各プレーンそれぞれにレティネックス処理を行う場合に比べ、計算量が少なく、高速で処理を実行することができとともに、Ｒ（ｘ，ｙ）を正規化するために、ＲＧＢそれぞれについて記憶する必要がなく、輝度のみについて記憶すればよいので、必要な記憶容量は少なくなる。
【００１３】
また、特許３７３１５７７号（特許文献２）には、このレティネックス処理の処理速度を高速にする方法が開示されている。この方法は、元画像を平均画素法などの方法により縮小画像（解像度が低い）を形成し、その縮小画像の各画素について周辺平均値を求めた周辺平均値画像（ボケ画像）を形成し、そのボケ画像を拡大した画像と元画像からレティネックス処理画像を形成し、更に、そのレティネックス処理画像と元画像とから出力画像を形成している。
【特許文献１】特開２００１−６９５２５号公報
【特許文献２】特許３７３１５７７号公報
【発明の開示】
【発明が解決しようとする課題】
【００１４】
しかしながら、従来の文献に開示された処理では、反射率を記憶するメモリのサイズが依然として大きいという問題点と、処理された画像を出力する際に、処理を開始してから画像の出力開始までの時間が長いという問題点とがあった。
【００１５】
本発明は、上記問題点を解決するためになされたものであり、レティネックス処理を少ない記憶容量で高速で行うことができる画像処理装置を提供することを目的としている。
【課題を解決するための手段】
【００１６】
この目的を達成するために、請求項１記載の画像処理装置は、元画像の補正処理を行い、その補正処理された画像を印刷する印刷手段を備えたものであり、前記印刷手段により印刷される画像の画質を設定する画質設定手段と、その画質設定手段により設定された画質に応じて縮小画像のサイズを設定する縮小画像サイズ設定手段と、その縮小画像サイズ設定手段により設定されたサイズに元画像を縮小し、その縮小画像の各画素について、画素の値とその画素の周辺平均値とから反射率を求めることにより縮小レティネックス画像を形成する縮小レティネックス画像形成手段と、その縮小レティネックス画像形成手段により形成された縮小レティネックス画像の画素値が取る値の全範囲における各画素値の頻度を集計し、正規化を行う際のパラメータを設定する正規化パラメータ設定手段と、前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えている。
【００１７】
請求項２記載の画像処理装置は、請求項１記載の画像処理装置において、前記印刷手段により印刷される記録媒体の種類を設定する記録媒体種類設定手段を備え、前記縮小画像サイズ設定手段は、前記画質設定手段により設定された画質と、前記記録媒体種類設定手段により設定された記録媒体の種類とに応じて縮小画像のサイズを設定する。
【００１８】
請求項３記載の画像処理装置は、請求項１記載の画像処理装置において、前記印刷手段により印刷される記録媒体のサイズを設定する記録媒体サイズ設定手段を備え、前記縮小画像サイズ設定手段は、前記画質設定手段により設定された画質と、前記記録媒体サイズ設定手段により設定された記録媒体のサイズとに応じて縮小画像のサイズを設定する。
【００１９】
請求項４記載の画像処理装置は、請求項１記載の画像処理装置において、前記元画像のサイズを設定する元画像サイズ設定手段を備え、前記縮小画像サイズ設定手段は、前記画質設定手段により設定された画質と、前記元画像サイズ設定手段により設定された元画像のサイズとに応じて縮小画像のサイズを設定する。
【００２０】
請求項５記載の画像処理装置は、請求項１から４のいずれかに記載の画像処理装置において、前記画質設定手段は、前記印刷手段により印刷される画像の解像度を設定する解像度設定手段を備えている。
【００２１】
請求項６記載の画像処理装置は、元画像の補正処理を行い、その補正処理された画像を印刷する印刷手段を備えたものであり、前記印刷手段により印刷される記録媒体の種類を設定する記録媒体種類設定手段と、その記録媒体種類設定手段により設定された記録媒体の種類に応じて縮小画像のサイズを設定する縮小画像サイズ設定手段と、その縮小画像サイズ設定手段により設定されたサイズに元画像を縮小し、縮小画像の各画素について、画素の値とその画素の周辺平均値とから反射率を求めることにより縮小レティネックス画像を形成する縮小レティネックス画像形成手段と、その縮小レティネックス画像形成手段により形成された縮小レティネックス画像の画素値が取る値の全範囲における各画素値の頻度を集計し、正規化を行う際のパラメータを設定する正規化パラメータ設定手段と、前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えている。
【００２２】
請求項７記載の画像処理装置は、請求項６記載の画像処理装置において、前記元画像のサイズを設定する元画像サイズ設定手段を備え、前記縮小画像サイズ設定手段は、前記記録媒体種類設定手段により設定された記録媒体の種類と、前記元画像サイズ設定手段により設定された元画像のサイズとに応じて縮小画像のサイズを設定する。
【００２３】
請求項８記載の画像処理装置は、請求項６記載の画像処理装置において、前記印刷手段により印刷される記録媒体のサイズを設定する記録媒体サイズ設定手段を備え、前記縮小画像サイズ設定手段は、前記記録媒体種類設定手段により設定された記録媒体の種類と、前記記録媒体サイズ設定手段により設定された記録媒体のサイズとに応じて縮小画像のサイズを設定する。
【００２４】
請求項９記載の画像処理装置は、元画像の補正処理を行い、その補正処理された画像を印刷する印刷手段を備えたものであり、前記元画像のサイズを設定する元画像サイズ設定手段と、その元画像サイズ設定手段により設定された元画像のサイズに応じて縮小画像のサイズを設定する縮小画像サイズ設定手段と、その縮小画像サイズ設定手段により設定されたサイズに元画像を縮小し、その縮小画像の各画素について、画素の値とその画素の周辺平均値とから反射率を求めることにより縮小レティネックス画像を形成する縮小レティネックス画像形成手段と、その縮小レティネックス画像形成手段により形成された縮小レティネックス画像の画素値が取る値の全範囲における各画素値の頻度を集計し、正規化を行う際のパラメータを設定する正規化パラメータ設定手段と、前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えている。
【００２５】
請求項１０記載の画像処理装置は、請求項９記載の画像処理装置において、前記印刷手段により印刷される記録媒体のサイズを設定する記録媒体サイズ設定手段を備え、前記縮小画像サイズ設定手段は、前記記録媒体種類設定手段により設定された記録媒体の種類と、前記記録媒体サイズ設定手段により設定された記録媒体のサイズとに応じて縮小画像のサイズを設定する。
【００２６】
請求項１１記載の画像処理装置は、元画像の補正処理を行い、その補正処理された画像を印刷する印刷手段を備えたものであり、前記印刷手段により印刷される記録媒体のサイズを設定する記録媒体サイズ設定手段と、その記録媒体サイズ設定手段により設定された記録媒体のサイズに応じて縮小画像のサイズを設定する縮小画像サイズ設定手段と、その縮小画像サイズ設定手段により設定されたサイズに元画像を縮小し、その縮小画像の各画素について、画素の値とその画素の周辺平均値とから反射率を求めることにより縮小レティネックス画像を形成する縮小レティネックス画像形成手段と、その縮小レティネックス画像形成手段により形成された縮小レティネックス画像の画素値が取る値の全範囲における各画素値の頻度を集計し、正規化を行う際のパラメータを設定する正規化パラメータ設定手段と、前記元画像の各画素について、画素の値とその画素の周辺平均値とから反射率を求め、その反射率を前記正規化パラメータ設定手段により設定されたパラメータに基づいて正規化した正規化レティネックス値を求め、その正規化レティネックス値と、元画像の画素値とに基づいて補正を行う補正手段とを備えている。
【００２７】
請求項１２記載の画像処理装置は、請求項１から１１のいずれかに記載の画像処理装置において、前記縮小レティネックス画像形成手段により形成された縮小レティネックス画像を記憶する記憶手段を備え、前記正規化パラメータ設定手段は、前記記憶手段に記憶された縮小レティネックス画像に基づいて正規化を行う際のパラメータを設定する。
【発明の効果】
【００２８】
請求項１記載の画像処理装置によれば、縮小レティネックス画像形成手段は、縮小画像サイズ設定手段により設定されたサイズに元画像を縮小し、縮小画像の各画素について、画素の値とその画素の周辺平均値とから反射率を求めることにより縮小レティネックス画像を形成し、正規化パラメータ設定手段は、縮小レティネックス画像形成手段により形成された縮小レティネックス画像の画素値が取る値の全範囲における各画素値の頻度を集計し、正規化を行う際のパラメータを設定するので、元画像により正規化を行う際のパラメータを設定する場合に比べ、レティネックス画像を記憶するメモリの容量を小さくすることができるとともに、演算される画素数が少ないので高速で演算することができるという効果がある。
【００２９】
また、画質設定手段は、印刷手段により印刷される画像の画質を設定し、縮小画像サイズ設定手段は、画質設定手段により設定された画質に応じて縮小画像のサイズを設定するので、使用者により選択された画質が高画質か、普通画質かなどの画質に応じて適切に設定される。例えば、高画質が選択された場合は、縮小画像のサイズを比較的大きいサイズに設定し、処理速度より、画質を優先した処理が行われ、普通画質が選択された場合は、高画質が選択された場合より小さいサイズを設定し、画質より処理速度を優先した処理を行うことができる。
【００３０】
請求項２記載の画像処理装置によれば、請求項１記載の画像処理装置の奏する効果に加え、印刷手段により印刷される記録媒体の種類を設定する記録媒体種類設定手段を備え、縮小画像サイズ設定手段は、画質設定手段により設定された画質と、記録媒体種類設定手段により設定された記録媒体の種類とに応じて縮小画像のサイズを設定するので、印刷される画像の画質と、記録媒体の種類とに応じた処理速度および画像の画質の処理を行うことができる。
【００３１】
請求項３記載の画像処理装置によれば、請求項１記載の画像処理装置の奏する効果に加え、印刷手段により印刷される記録媒体のサイズを設定する記録媒体サイズ設定手段を備え、縮小画像サイズ設定手段は、画質設定手段により設定された画質と、記録媒体サイズ設定手段により設定された記録媒体のサイズ（例えば、Ａ４，Ｌ判、レターなど）とに応じて縮小画像のサイズを設定するので、印刷される画像の画質と、記録媒体のサイズとに応じた処理速度および画像の画質の処理を行うことができる。
【００３２】
請求項４記載の画像処理装置によれば、請求項１記載の画像処理装置の奏する効果に加え、元画像のサイズを設定する元画像サイズ設定手段を備え、縮小画像サイズ設定手段は、画質設定手段により設定された画質と、元画像サイズ設定手段により設定された元画像のサイズとに応じて縮小画像のサイズを設定するので、印刷される画像の画質と、元画像のサイズとに応じた処理速度および画像の画質の処理を行うことができる。
【００３３】
請求項５記載の画像処理装置によれば、請求項１から４のいずれかに記載の画像処理装置の奏する効果に加え、画質設定手段は、印刷手段により印刷される画像の解像度を設定する解像度設定手段を備えているので、解像度に応じた縮小画像サイズが設定される。よって、解像度が高く設定された場合は、印刷速度が遅いので、縮小画像サイズを大きくして画像処理の速度が遅くても問題にならず、画質を優先して、高画質の画像を得ることができる。一方、解像度が低く設定された場合は、印刷速度が速いので、縮小画像サイズを小さく設定して画像処理の速度を速くし、速度を優先した処理を行うことができる。
【００３４】
請求項６記載の画像処理装置によれば、縮小レティネックス画像形成手段は、縮小画像サイズ設定手段により設定されたサイズに元画像を縮小し、縮小画像の各画素について、画素の値とその画素の周辺平均値とから反射率を求めることにより縮小レティネックス画像を形成し、正規化パラメータ設定手段は、縮小レティネックス画像形成手段により形成された縮小レティネックス画像の画素値が取る値の全範囲における各画素値の頻度を集計し、正規化を行う際のパラメータを設定するので、元画像により正規化を行う際のパラメータを設定する場合に比べ、レティネックス画像を記憶するメモリの容量を小さくすることができるとともに、演算される画素数が少ないので高速で演算することができるという効果がある。
【００３５】
また、記録媒体種類設定手段は、印刷手段により印刷される記録媒体の種類を設定し、縮小画像サイズ設定手段は、記録媒体種類設定手段により設定された記録媒体の種類に応じて縮小画像のサイズを設定するので、使用者により選択された記録媒体の種類が光沢紙や、インクジェット紙や、普通紙などの種類に応じて適切に設定される。例えば、光沢紙が選択された場合は、縮小画像のサイズを比較的大きいサイズに設定し、処理速度より、画質を優先した処理が行われ、普通紙が選択された場合は、光沢紙が選択された場合より小さいサイズに設定し、画質より処理速度を優先した処理を行うことができる。
【００３６】
請求項７記載の画像処理装置によれば、請求項６記載の画像処理装置の奏する効果に加え、元画像のサイズを設定する元画像サイズ設定手段を備え、縮小画像サイズ設定手段は、記録媒体種類設定手段により設定された記録媒体の種類と、元画像サイズ設定手段により設定された元画像のサイズとに応じて縮小画像のサイズを設定するので、記録媒体の種類と元画像のサイズとに応じた処理速度および画像の画質の処理を行うことができる。
【００３７】
請求項８記載の画像処理装置によれば、請求項６記載の画像処理装置の奏する効果に加え、印刷手段により印刷される記録媒体のサイズを設定する記録媒体サイズ設定手段を備え、縮小画像サイズ設定手段は、記録媒体種類設定手段により設定された記録媒体の種類と、記録媒体サイズ設定手段により設定された記録媒体のサイズとに応じて縮小画像のサイズを設定するので、記録媒体の種類とサイズとに応じた処理速度および画像の画質の処理を行うことができる。
【００３８】
請求項９記載の画像処理装置によれば、縮小レティネックス画像形成手段は、縮小画像サイズ設定手段により設定されたサイズに元画像を縮小し、縮小画像の各画素について、画素の値とその画素の周辺平均値とから反射率を求めることにより縮小レティネックス画像を形成し、正規化パラメータ設定手段は、縮小レティネックス画像形成手段により形成された縮小レティネックス画像の画素値が取る値の全範囲における各画素値の頻度を集計し、正規化を行う際のパラメータを設定するので、元画像により正規化を行う際のパラメータを設定する場合に比べ、レティネックス画像を記憶するメモリの容量を小さくすることができるとともに、演算される画素数が少ないので高速で演算することができるという効果がある。
【００３９】
また、元画像サイズ設定手段は、元画像のサイズを設定し、縮小画像サイズ設定手段は、元画像サイズ設定手段により設定された元画像のサイズに応じて縮小画像のサイズを設定するので、元画像のサイズに応じた適切なサイズの縮小画像のサイズが設定される。よって、元画像のサイズが大きいにもかかわらず、縮小画像のサイズが小さく設定されて、処理され画像の画質を劣化させたり、元画像のサイズが小さいにもかかわらず、縮小画像のサイズが大きく設定されて処理に時間を要するようなことを防止することができる。
【００４０】
請求項１０記載の画像処理装置によれば、請求項９記載の画像処理装置の奏する効果に加え、印刷手段により印刷される記録媒体のサイズを設定する記録媒体サイズ設定手段を備え、縮小画像サイズ設定手段は、元画像サイズ設定手段により設定された元画像のサイズと、記録媒体サイズ設定手段により設定された記録媒体のサイズとに応じて縮小画像のサイズを設定するので、元画像のサイズと記録媒体のサイズとに応じた処理速度および画像の画質の処理を行うことができる。
【００４１】
請求項１１記載の画像処理装置によれば、縮小レティネックス画像形成手段は、縮小画像サイズ設定手段により設定されたサイズに元画像を縮小し、縮小画像の各画素について、画素の値とその画素の周辺平均値とから反射率を求めることにより縮小レティネックス画像を形成し、正規化パラメータ設定手段は、縮小レティネックス画像形成手段により形成された縮小レティネックス画像の画素値が取る値の全範囲における各画素値の頻度を集計し、正規化を行う際のパラメータを設定するので、元画像により正規化を行う際のパラメータを設定する場合に比べ、レティネックス画像を記憶するメモリの容量を小さくすることができるとともに、演算される画素数が少ないので高速で演算することができるという効果がある。
【００４２】
また、記録媒体サイズ設定手段は、記録媒体のサイズを設定し、縮小画像サイズ設定手段は、記録媒体サイズ設定手段により設定された記録媒体のサイズに応じて縮小画像のサイズを設定するので、記録媒体のサイズ（出力画像のサイズ）に応じた適切なサイズの縮小画像のサイズが設定される。よって、記録媒体のサイズが大きいにもかかわらず、縮小画像のサイズが小さく設定されて、処理され画像の画質を劣化させたり、記録媒体のサイズが小さいにもかかわらず、縮小画像のサイズが大きく設定されて処理に時間を要するようなこと防止することができる。
【００４３】
請求項１２記載の画像処理装置によれば、請求項１から１１のいずれかに記載の画像処理装置の奏する効果に加え、縮小レティネックス画像形成手段により形成された縮小レティネックス画像を記憶する記憶手段を備え、正規化パラメータ設定手段は、記憶手段に記憶された縮小レティネックス画像に基づいて正規化を行う際のパラメータを設定するので、正規化を行う際のパラメータを速く設定することができるとともに、記憶手段は、元画像のレティネックス画像を記憶する場合に比べ、少ない記憶容量のメモリで構成することができる。したがって、画像処理装置を安価に提供することができるという効果がある。
【発明を実施するための最良の形態】
【００４４】
以下、本発明の好ましい第１の実施形態について添付図面を参照して説明する。図１は、本実施形態の画像処理を行う機能を有するプリンタ１の電気的な構成を示したブロック図である。本実施形態においては、プリンタ１に搭載された画像処理プログラムは、パーソナルコンピュータ（以下「ＰＣ」と称する）２や、デジタルカメラ２１や、外部メディア２０から入力された画像データ（原画像データなど）に対しレティネックス処理（Ｒｅｔｉｎｅｘ処理）を実行して、画像データの逆光画像部分などの低画質領域の補正を実行するように構成されている。
【００４５】
図１に示すように、プリンタ１には、ＣＰＵ１１、ＲＯＭ１２、ＲＡＭ１３、印刷ヘッドなどから構成され、印刷媒体（例えば、紙媒体など）への印刷（出力）を行う印刷部１５、出力画像サイズなどの入力値をユーザが入力可能なユーザ操作部（例えば、テンキーなど）を有する操作パネル１６とを備えている。
【００４６】
また、プリンタ１は、ケーブル５を介してＰＣ２と接続可能なインターフェイス（以下「Ｉ／Ｆ」と称する）１７と、ケーブル６を介してデジタルカメラ２１と接続可能なＩ／Ｆ１８と、外部メディア２０（例えば、ＳＤメモリカード、メモリスティックなどのフラッシュメモリにより構成される）を着脱自在に装着可能な外部メディアスロット１９とを備えている。これらのＩ／Ｆ１７、１８により行われる通信方法としてＵＳＢ（Universal  Serial  Bus）が使用される。
【００４７】
よって、プリンタ１は、ＰＣ２に記憶されている画像データをケーブル５及びＩ／Ｆ１７を介して入力することが可能であると共に、デジタルカメラ２１によって撮影された画像データをケーブル６及びＩ／Ｆ１８を介して入力することが可能である。さらに、外部メディアスロット１９に装着された外部メディア２０から、その外部メディア２０に記憶されている画像データを入力することが可能である。
【００４８】
また、ＰＣ２において、印刷を行う際の印刷モードを高画質の写真モードとするか、普通画質の普通モードとするか、また、記録媒体の種類を光沢紙、インクジェット紙、普通紙のいずれにするか、また、記録媒体のサイズをＡ４，Ｂ５、レターなどのいずれにするかなどを使用者が設定し、設定されたこれらの印刷パラメータは、ケーブル５およびＩ／Ｆ１７を介してプリンタ１に入力され、印刷パラメータメモリ１３ｅに記憶される。
【００４９】
ＣＰＵ１１は、プリンタ１全体を制御する演算処理装置である。ＲＯＭ１２は、ＣＰＵ１１により実行される各種制御プログラムやそのプログラムを実行する際に用いられる固定値などを記憶するものであり、レティネックス処理などの画像の処理を行う画像処理プログラムを記憶する画像処理プログラムメモリ１２ａや、印刷を行うための印刷制御プログラムを記憶する印刷制御プログラムメモリ１２ｂや画像処理プログラムが実行される際に参照されるルックアップテーブルを記憶するＬＵＴメモリ１２ｃ等が備えられている。ＬＵＴメモリ１２ｃに記憶されるルックアップテーブルについては、図５および図６を参照して後述する。
【００５０】
ＲＡＭ１３は、制御プログラムがＣＰＵ１１により実行される際に必要な各種レジスタ群などが記憶されるワーキングエリアや、処理中のデータを一時的に格納するテンポラリエリア等を有しランダムにアクセスできる書き換え可能なメモリであり、元画像データを記憶する元画像メモリ１３ａと、元画像を縮小し、縮小した画像のレティネックス処理において求められる反射率を記憶する縮小レティネックス画像メモリ１３ｂと、正規化を行うためのパラメータを求める際に反射率の頻度が記憶されるヒストグラムメモリ１３ｃと、元画像のサイズを記憶する元画像サイズメモリ１３ｄと、使用者などにより設定される印刷を行う際の印刷パラメータを記憶する印刷パラメータメモリ１３ｅと、印刷パラメータなどに基づいて決定される縮小画像サイズと縮小アルゴリズムがそれぞれ記憶される縮小画像サイズメモリ１３ｆと縮小アルゴリズムメモリ１３ｇ等を備えている。
【００５１】
元画像データメモリ１３ａは、ＰＣ２、デジタルカメラ２１、及び外部メディア２０から、それぞれ、Ｉ／Ｆ１７、Ｉ／Ｆ１８、及び外部メディアスロット１９を介して入力した画像データを記憶するものである。元画像データを１ライン単位で記憶し、縮小画像を形成することができるライン数のデータを読み込むと、縮小画像を形成する。縮小アルゴリズムが、最近傍法である場合には、１ラインのデータを記憶し、バイリニア法である場合には、２ライン、バイキュービック法である場合には、３ライン、平均画素法の場合は、縮小率に応じたライン数の元画像データが記憶される。なお、本実施形態では、元画像データ及び出力画像データはいずれも、ＲＧＢ値から構成され、これらの各ＲＧＢ値は、「０」〜「２５５」の範囲の値である。
【００５２】
ＲＧＢ値は、光の３原色である赤を表すＲ値と、緑を表すＧ値と、青を示すＢ値とを構成成分とする値である。光の３原色の混色により各種の色は生成されるので、入力画像の各画素の色は、Ｒ値とＧ値とＢ値との組合せ（ＲＧＢ値）により１の色（色相や階調など）が示される。このＲＧＢ値の値が大きいほど、輝度（明度）は高くなる。
【００５３】
元画像データには、その元画像のサイズを表すデータ（例えば、縦横のピクセル数）が付随し、そのサイズを表すデータは、元画像サイズメモリ１３ｄに記憶される。
【００５４】
縮小レティネックス画像メモリ１３ｂは、元画像を縮小し、その縮小した画像の輝度信号のみについてレティネックス処理において求められる反射率Ｒｓ（ｘ，ｙ）を記憶するメモリである。
【００５５】
ヒストグラムメモリ１３ｃは、反射率Ｒｓ（ｘ，ｙ）の頻度を集計してヒストグラムを形成するためのメモリである。ヒストグラムが作成されると、そのヒストグラムに基づいて、正規化を行うためのパラメータである上限値および下限値（クリップ範囲）が定められる。
【００５６】
印刷パラメータメモリ１３ｅは、印刷を行う際の印刷モードを高画質の写真モードとするか、普通画質の普通モードとするか、また、記録媒体の種類を光沢紙、インクジェット紙、普通紙のいずれにするか、また、記録媒体のサイズをＡ４，Ｂ５、レターなどのいずれにするかなどを使用者が設定し、その設定されたパラメータを記憶する。印刷モードが選択されると、選択された印刷モードに設定された印刷の解像度や液滴サイズなどがパラメータとして記憶され、印刷が実行される際には、これらのパラメータに従って印刷が行われる。
【００５７】
これらの印刷パラメータや、元画像のサイズに基づいて、縮小画像のサイズと縮小するアルゴリズムが決定され、縮小画像サイズメモリ１３ｆと縮小アルゴリズメモリにそれぞれ記憶される。主として、処理速度より画質が優先される場合は、縮小画像サイズとして大きいサイズが設定され、画質より処理速度が優先される場合は、縮小画像サイズとして小さいサイズが設定される。
【００５８】
また、アルゴリズムとしては、縮小する画像の画素に対応する元画像の位置に最も近い画素の値をサンプリングし、そのサンプリングした画素の値をそのまま用いる最近傍（Nearest  Neighbor）法、縮小する画像の画素に対応する元画像の位置の周囲の画素を用いて補間演算を行うバイリニア法、平均画素法などの中から選択される。画質より処理速度を優先する場合は、最近傍法が用いられ、処理速度より画質を優先する場合は、バイリニア法や、平均画素法が用いられる。
【００５９】
これらの印刷パラメータは、ＰＣ２において使用者により設定され、プリンタ１に入力されるとともに、操作パネル１６に備えられる操作子によっても設定することができる。
【００６０】
操作パネル１６には、印刷パラメータなどを表示するＬＣＤと、印刷パラメータや画像処理に関するパラメータを設定したり、画像処理や印刷処理の実行を指示する各種操作子が備えられている。
【００６１】
次に、図２を参照してプリンタ１に接続されたＰＣ２おいて設定される種々の印刷パラメータについて説明する。図２は、ＰＣ２において、印刷パラメータの設定を選択した際に表示器に表示される印刷パラメータ設定画面２８である。
【００６２】
印刷パラメータ設定画面２８には、印刷を行う記録媒体である印刷用紙を選択設定する用紙種類選択ボックス２８ａと、印刷用紙のサイズを選択設定する用紙サイズ設定ボックス２８ｂと、印刷モードを設定する印刷モード設定ボックス２８ｃと、印刷を行う部数を設定する部数設定ボックス２８ｄなどが表示される。
【００６３】
用紙種類選択ボックス２８ａは、選択された用紙種類を表示する表示エリアと、そのエリアの右端に下方に向いた三角形が描かれたアイコンとを有し、このアイコンにマウスを操作してカーソル合わせ、クリックすると図２に示すようにプルダウンメニューが表示される。つぎに表示されたプルダウンメニューのいずれかの項目にカーソルを移動し、マウスに備えられたスイッチをクリックすると、カーソルにより指定される項目が選択される。
【００６４】
この実施形態では、印刷用紙の種類として、普通紙、光沢紙のいずれかを選択することができ、図２に示す例では、普通紙が選択された状態を示している。
【００６５】
同様に、用紙サイズ設定ボックス２８ｂは、選択された用紙のサイズを表示するエリアと、選択を行うためのプルダウンメニューの表示を指示するアイコンとを有し、用紙のサイズとしては、Ａ４，レター，５”×７”および４”×６”のいずれかを選択することができる。
【００６６】
印刷モード設定ボックス２８ｃも同様に、選択された印刷モードを表示するエリアと、選択を行うためのプルダウンメニューの表示を指示するアイコンとを有し、印刷モードとして、写真モードと普通モードのいずれかを選択することができる。写真モードは、普通モードに比べ、高画質で印刷を行うモードであり、高解像度で印刷が行われる。例えば、写真モードの解像度は、１２００×１２００ｄｐｉであり、普通モードの解像度は、低解像度であって、６００×６００ｄｐｉである。なお、インクジェット方式のプリンタでは、解像度に応じて液滴サイズや、使用されるインクの種類が異なるようにしてもよい。
【００６７】
印刷部数設定ボックス２８ｄは、設定された部数を数値で表示するエリアからなり、そのエリアの右側に、数値を増加させるための上向きの三角形を表示したインクリメントアイコンと、数値を減少させるための下向きの三角形を表示したデクリメントアイコンを備え、これらのアイコンにカーソルを移動してマウスを操作することにより、印刷部数を設定することができる。
【００６８】
この印刷パラメータ設定画面２８には、上記アイコン以外に、用紙に対する印刷の向きを設定するラジオボタンや、設定を有効にして設定画面の消去を指示するＯＫボタンや、設定を無効にして設定画面の消去を指示するキャンセルボタンや設定の説明画面の表示を指示するヘルプボタンが表示される。
【００６９】
このようにしてＰＣ２によりて設定された印刷パラメータは、ケーブル５およびＩ／Ｆ１７を介してプリンタ１に入力され、印刷パラメータメモリ１３ｅに記憶される。
【００７０】
次に、図３および図４を参照してＣＰＵ１１により実行される画像処理について説明する。図３および図４は、画像処理を示すフローチャートである。図３に示す処理は、前処理と呼ばれる処理であり、この処理では、元画像を縮小し、縮小した画像に基づいて反射率Ｒの正規化を行うためのクリップ範囲が設定される
この前処理では、まず、元画像データに付随している元画像のサイズを示すデータを元画像サイズメモリ１３ｄに記憶する（Ｓ１）。この画像のサイズを示すデータは、通常長方形の画像を構成する縦と横のピクセル数により表される値である。
【００７１】
次に、印刷パラメータメモリ１３ｅに記憶された印刷パラメータの中から縮小画像サイズと縮小アルゴリズムを設定する際に必要なパラメータを読み出す（Ｓ２）。この、実施形態では、印刷パラメータのうち、印刷モード、用紙種類、用紙サイズが必要なパラメータである。
【００７２】
次に、これらのパラメータなどに基づいて縮小画像サイズと縮小アルゴリズムを決定し、決定した縮小画像サイズを縮小画像サイズメモリ１３ｆ、縮小アルゴリズムを１３ｇにそれぞれ記憶する（Ｓ３）。この処理については、図５〜７を参照して後述する。
【００７３】
Ｓ３の処理により、縮小画像サイズと縮小アルゴリズムが決定されると、次にその決定された縮小アルゴリズムにより元画像を縮小して決定された縮小画像サイズの縮小画像を形成する。縮小画像を形成する処理では、まず、元画像を記憶しているＰＣ２などから、１ライン単位で読み込み、ＲＡＭ１３の元画像メモリ１３ａに記憶する（Ｓ４）。デジタルカメラなどにより形成された画像データは、ＪＰＥＧなどの圧縮法により圧縮されて記憶され、長方形の画像の横方向のピクセルのライン順に記憶されている。
【００７４】
次に、元画像メモリ１３ａに記憶された画像データのライン数が、縮小画像アルゴリズムメモリ１３ｇに記憶された縮小アルゴリズムにより縮小することができるライン数のデータが記憶されたか否かを判断し（Ｓ５）、縮小できるライン数が記憶されていない場合は（Ｓ５：Ｎｏ）、Ｓ４の処理に戻り、縮小できるライン数が記憶されている場合は（Ｓ５：Ｙｅｓ）、その縮小アルゴリズムに従って縮小画像を形成し（Ｓ６）、その縮小画像をＲＡＭに記憶する（Ｓ７）。縮小画像を形成し、次に１ライン分の元画像を読み込んで元画像メモリ１３ａに記憶する場合は、先に記憶したデータに上書きする。このことにより、元画像メモリ１３ａの記憶容量を削減することができる。
【００７５】
次に、元画像の全てのラインについて走査を行って縮小画像を形成したか否かを判断し（Ｓ８）、まだ、未処理のラインが残っている場合は（Ｓ８：Ｎｏ）、Ｓ４の処理に戻り、全ラインについて処理を終了した場合は（Ｓ８：Ｙｅｓ）、縮小画像の各画素について輝度信号Ｙと色信号Ｃｂ，Ｃｒに変換する（Ｓ９）。
【００７６】
輝度信号Ｙおよび色信号Ｃｂ，Ｃｒは、元の画素のＲＧＢ値から次式により演算される。
【００７７】
【数３】
2008060944.tif 000005
輝度信号Ｙと色信号Ｃｂ，Ｃｒの値をそれぞれ記憶し、後の演算で使用するようにしてもよいが、記憶容量が小さい場合は、ＲＧＢ値のみを記憶し、必要に応じて演算して求めるようにしてもよい。
【００７８】
次に、上式により演算された輝度信号Ｙについて、反射率Ｒｓ（ｘ，ｙ）を算出する。（Ｓ１０）なお、「ｓ」は、縮小画像についての接尾辞であり、元画像については、接尾辞を付さないものとする。反射率Ｒｓは、縮小画像の各画素の輝度値をＩｓ（ｘ，ｙ）、縮小画像用のフィルタをＦｓ（ｘ，ｙ）として、次式により演算される。
【００７９】
【数４】
2008060944.tif 000006
なお、「＊」は、畳み込み演算を示し、この畳み込み演算により周辺平均値（周辺平均値）が求められる。また、ｌｏｇは、ｅを底とする自然対数である。
【００８０】
次に、上記演算により求められた反射率Ｒｓ（ｘ，ｙ）をＲＡＭ１３の縮小レティネックス画像メモリ１３ｂに記憶する（Ｓ１１）。次に、Ｒｓ（ｘ，ｙ）を最大値および最小値と比較する（Ｓ１２）。詳細には、最初の座標について求めた反射率Ｒｓ（ｘ，ｙ）を最大値および最小値とし、そのつぎから求めた反射率Ｒｓ（ｘ，ｙ）と最大値および最小値とをそれぞれ比較し、今回求めた反射率Ｒｓ（ｘ，ｙ）が、最大値より大きい場合は、今回求めた反射率Ｒｓ（ｘ，ｙ）を新たな最大値とし、今回求めた反射率Ｒｓ（ｘ，ｙ）が、最小値より小さい場合は、今回求めた反射率Ｒｓ（ｘ，ｙ）を新たな最小値とし、今回求めた反射率Ｒｓ（ｘ，ｙ）が、最大値より小さく、最小値より大きい場合は、最大値、最小値を変更しないという処理である。
【００８１】
次に、縮小画像の全ての座標についてＳ１０〜Ｓ１２の処理を行ったか否かを判断し（Ｓ１３）、まだ、未処理の座標がある場合は（Ｓ１３：Ｎｏ）、Ｓ１０の処理に戻り、全ての座標についての処理を終了した場合は（Ｓ１３：Ｙｅｓ）、Ｓ１２の処理により求めた最大値と最小値に基づいて、反射率Ｒｓ（ｘ，ｙ）を正規化し、ヒストグラムをヒストグラムメモリ１３ｃに形成する（Ｓ１４）。
【００８２】
次に、その形成されたヒストグラムからメディアン値を求め（Ｓ１５）、そのメディアン値とヒストグラムとから反射率Ｒｓ（ｘ，ｙ）のクリップされる範囲（クリップ範囲）を定める（Ｓ１６）。このクリップ範囲は、例えば、メディアン値より大きい値で、全標本の４５％の標本が含まれる上限値をクリップ範囲の上限値とし、メディアン値より小さい値で、全標本の４５％が含まれる下限値をクリップ範囲の下限値とするものである。
【００８３】
以上の前処理により、元画像を縮小した縮小画像の反射率により構成される縮小レティネックス画像を形成し、その縮小レティネックス画像から、元画像の反射率を正規化する際のクリップ範囲が求められる。このことにより、クリップ範囲を求めるための演算の回数が、元画像について求める演算の回数より非常に少なくすることができ、処理速度が速くなる。また、縮小された画像のレティネックス画像を記憶するので、元画像のレティネックス画像を記憶する場合に比べ、少ない記憶容量で処理することができるという利点がある。また、縮小画像を用いて求めたクリップ範囲と、元画像を用いて求めたクリップ範囲とは、大差がない。次表は、縮小画像により求めたクリップ範囲（上限値と下限値）と元画像により求めたクリップ範囲との差異を示すものである。
【００８４】
【表１】
2008060944.tif 000007
この表が示すように、元画像により求めた最大値は、２．７１２、最小値は、−４．０６３であり、縮小画像により求めた最大値は、１．７２９、最小値は、−２．６０７である。よって、元画像により求めた最大値と縮小画像により求めた最大値との差は、０．９８３であり、元画像により求めた最小値と縮小画像により求めた最小値との差は、１．４５６であって、かなり大きな差が認められる。
【００８５】
一方、元画像により求めたクリップ範囲の上限値は、０．８２５、下限値は、−０．８２２であり、縮小画像により求めた上限値は、０．７４２、下限値は、−０．７５５である。よって、元画像により求めた上限値と縮小画像により求めた上限値との差は、０．０８３であり、元画像により求めた下限値と縮小画像により求めた下限値との差は、０．０６７であって、これらの差が小さいことが分かる。
【００８６】
次に、図３に示す処理により求められたクリップ範囲に基づいて行う後処理である元画像のレティネックス処理について説明する。図４は、元画像のレティネックス処理を示すフローチャートである。なお、この後処理では、元画像の各画素について処理が行われ、処理された画素値は、順次印刷部１５に出力される。
【００８７】
まず、元画像について、反射率Ｒ（ｘ，ｙ）を算出する（Ｓ２１）。次に、縮小画像を用いて求めたクリップ範囲に基づいて、Ｒ（ｘ，ｙ）を正規化し、正規化反射率ｒｅｆｌｅ（ｘ，ｙ）を得る（Ｓ２２）。
【００８８】
次に、このｒｅｆｌｅ（ｘ，ｙ）を用いて、次式により輝度についてレティネックス処理を行った画素の値Ｏｕｔ（ｘ，ｙ）を得る（Ｓ２３）。
【００８９】
【数５】
2008060944.tif 000008
次に、このＯｕｔ（ｘ，ｙ）と、色信号Ｃｂ、Ｃｒとに基づいて、ＲＧＢ値に変換する（Ｓ２４）。この変換は、次式により算出される。
【００９０】
【数６】
2008060944.tif 000009
以上の処理により元画像の輝度信号にレティネックス処理が施され、色信号に基づいてＲＧＢ値に戻した画素値が求められる。次に、この処理された画素値を印刷部１５に出力する（Ｓ２５）。よって、前処理により、正規化を行うクリップ範囲が特定されているので、後処理では、順次各画素について処理を行い印刷部１５に出力することができる。その結果、処理を開始してから、印刷が開始されるまでの時間を短縮することができる。
【００９１】
次に、元画像の全画素について処理を終了したか否かを判断し（Ｓ２６）、まだ処理を終了していない画素がある場合は（Ｓ２６：Ｎｏ）、Ｓ２１の処理に戻り、全ての画素について処理を終了した場合は（Ｓ２６：Ｙｅｓ）、この後処理を終了する。
【００９２】
次に、図５、図６および図７を参照して、Ｓ３の処理である縮小画像サイズと縮小アルゴリズムを決定する処理について説明する。元画像を縮小し、その縮小画像を用いてクリップ範囲を決定し、そのクリップ範囲に基づいて元画像の各画素について補正処理を行うので、クリップ範囲を速く決定することができるとともに、少ない記憶容量で処理することができる。しかしながら、縮小画像のサイズが小さい場合や、縮小された画像の画質の劣化が大きい場合には、適切なクリップを範囲を設定できない場合がある。また、縮小画像サイズを必要以上に大きくしたり、縮小画像の画質を必要以上に高くすれば、処理時間が長くかかり、処理速度が低下する。従って、使用者が設定する印刷パラメータなどに応じた適切な縮小画像のサイズや縮小アルゴリズムを選択する必要がある。
【００９３】
図５および図６は、印刷モード、用紙種類、用紙サイズ、元画像のサイズに応じて縮小画像サイズと縮小アルゴリズムを設定するためのルックアップテーブルであり、図５は、写真モード用のもの、図６は、普通モード用のものである。これらのテーブルは、ＲＯＭ１２のテーブルメモリ１２ｃに記憶され、図７に示すフローチャートの処理において参照される。
【００９４】
図５は、印刷モードが写真モードである場合に選択されるテーブルであって、まず、用紙の種類により分類される。この実施形態では、光沢紙と普通紙の２種類で分類しているが、これら以外に、インクジェット紙などにより分類してもよい。
【００９５】
用紙種類の次に、用紙サイズにより分類される。用紙サイズは、用紙サイズが小さい方から順に、４”×６”、５”×７”、レター、Ａ４の４種類に分類され、さらに、各用紙サイズについて元画像サイズにより分類される。入力サイズとしては、６００×８００、１２００×１６００、２４００×３２００（ピクセル）の３種類に分類され、それぞれのサイズについて、縮小画像サイズと縮小アルゴリズムとが設定される。
【００９６】
この実施形態では、縮小画像サイズは、１５０×２００、３００×４００、４５０×６００の３種類、縮小アルゴリズムは、平均画素法（ＭＥ）、バイリニア法（ＢＬ）、最近傍法（ＮＮ）の３類のいずれかが設定される。図６は、印刷モードが普通モードである場合に選択されるテーブルであって、写真モードと同様に、用紙種類、用紙サイズ、元画像サイズにより分類され、縮小画像サイズと縮小アルゴリズムとが設定される。
【００９７】
図７は、図３に示すフローチャートのＳ３の処理の詳細を示すフローチャートである。この処理では、まず印刷パラメータとして選択された印刷モードが写真モードか普通モードであるかを判定する（Ｓ３１）。印刷モードが、写真モードである場合は、写真モード用のテーブルを選択し（Ｓ３２）、印刷モードが、普通モードである場合は、写真モード用のテーブルを選択し（Ｓ３３）、印刷パラメータとしてい設定されている用紙種類、用紙サイズ、および元画像サイズメモリ１３ｄに記憶されている元画像サイズとから、設定されている縮小画像サイズと縮小アルゴリズムとを読み出し、縮小画像サイズメモリ１３ｆと縮小アルゴリズムメモリ１３ｇとにそれぞれ記憶する（Ｓ３４）。
【００９８】
以上、第１の実施形態について説明したように、まず、元画像を縮小した縮小画像を形成し、その縮小画像に基づいて反射率を正規化するクリップ範囲を決定し、つぎに、元画像の各画素について反射率を求め、決定されたクリップ範囲に基づいて反射率を正規化してレティネックス処理を行う場合に、元画像のサイズや印刷を行う印刷パラメータの値に応じて縮小画像サイズが設定される。よって、使用者が画質より速度を優先する場合、または速度より画質を優先する場合などの使用者の要求に応じた縮小画像サイズが設定される。
【００９９】
次に、第２の実施形態について図８を参照して説明する。第１の実施形態では、ルックアップテーブルを参照することにより、縮小画像サイズおよび縮小アルゴリズムを決定するものとしたが、第２の実施形態では、プログラム中に、いずれの条件の場合には、いずれの縮小画像サイズおよび縮小アルゴリズムを選択するかが記載され、テーブルを参照しない場合の例である。
【０１００】
図８は、第２の実施形態を示すフローチャートであり、第１の実施形態における図７の処理を置き換えた処理である。この処理以外については、第１の実施形態と同一であり、同一部分については、その説明を省略する。
【０１０１】
この処理では、まず、印刷モードは、写真モードか普通モードかを判定する（Ｓ４１）。印刷モードが、写真モードである場合は、次に用紙種類が、光沢紙か普通紙であるかを判定する（Ｓ４２）。
【０１０２】
用紙種類が、光沢紙である場合は、次に、用紙サイズが４”×６”かＡ４かを判定する（Ｓ４３）。なお、このフローチャートでは、説明を簡単にするために、用紙サイズは、これら２種類とする。
【０１０３】
用紙サイズが４”×６”である場合は、つぎに元画像サイズが６００×８００か、２４００×３２００かを判定する。元画像サイズが６００×８００である場合は、縮小画像サイズは、１２０×２００とし、縮小アルゴリズムは、平均画素法（ＭＥ）とする。
【０１０４】
元画像サイズが２４００×３２００のである場合は、縮小画像サイズは、４５０×６００とし、縮小アルゴリズムは、平均画素法（ＭＥ）とする。
【０１０５】
一方、Ｓ４３の判断処理において、用紙サイズが、Ａ４であると判断した場合は、同様に元画像サイズが６００×８００か、２４００×３２００かを判定する。元画像サイズが６００×８００である場合は、縮小画像サイズは、３００×４００とし、縮小アルゴリズムは、バイリニア法（ＢＬ）とする。
【０１０６】
元画像サイズが２４００×３２００のである場合は、縮小画像サイズは、４５０×６００とし、縮小アルゴリズムは、平均画素法（ＭＥ）とする。同様に、Ｓ４２の判断処理において、用紙種類が、普通紙であると判断した場合は、Ｓ４３〜Ｓ４９の処理と同様に用紙サイズ、元画像サイズに応じて縮小画像サイズと縮小アルゴリズムとが設定される（Ｓ５０）。
【０１０７】
同様に、Ｓ４１の判断処理において、印刷モードが普通モードであると判断した場合は、Ｓ４２〜Ｓ４９の処理と同様に用紙種類、用紙サイズ、元画像サイズに応じて縮小画像サイズと縮小アルゴリズムとが設定される（Ｓ５１）。なお、Ｓ５０およびＳ５１の詳細については、説明が煩雑になるのでその説明を省略する。
【０１０８】
以上、第２の実施形態に基づいて説明したように、ルックアップテーブルを参照するのではなく、プログラム中に条件に応じた縮小画像サイズと縮小アルゴリズムを記載することにより適切な縮小画像サイズおよび縮小アルゴリズムが設定されるようにすることができる。
【０１０９】
なお、請求項に記載の縮小画像サイズ設定手段は、図７に示すフローチャートのＳ３４の処理や図８に示すフローチャートのＳ４５〜Ｓ４９の処理が該当し、縮小レティネックス画像形成手段は、図３に示すフローチャートのＳ１０の処理が該当し、正規化パラメータ設定手段は、図３に示すフローチャートのＳ１６の処理が該当し、補正手段は、図４に示すフローチャートの処理が該当する。
【０１１０】
以上、実施形態に基づいて本発明を説明したが、本発明は上記各実施形態に何ら限定されるものでなく、本発明の趣旨を逸脱しない範囲内で種々の改良変形が可能であることは容易に推察できるものである。
【０１１１】
例えば、上記実施形態では、色表現系はＲＧＢ形式としたが、ＲＧＢ形式以外の他の色表現系、例えば、ＣＭＹ形式などに本発明を適用してもよい。
【０１１２】
また、上記実施形態では、本発明の画像処理プログラムは、プリンタ１に組み込まれたＣＰＵ１１により実行されるものとしたが、パーソナルコンピュータにアプリケーションとして供給され、パーソナルコンピュータに組み込まれたＣＰＵなどにより実行されるようにしてもよい。
【０１１３】
また、レティネックス処理は、ＳＳＲ（シングルスケール法）であってもＭＳＲ（マルチスケール法）であってもよい。
【０１１４】
また、上記実施形態では、印刷モード、用紙種類、用紙サイズ、元画像サイズの４つのパラメータにより縮小画像サイズが決定されるものとしたが、これら４つのパラメータのうち、いずれか１つ、またはいずれか２つ、またはいずれか３つにより縮小画像サイズが決定されるようにしてもよい。
【０１１５】
また、上記実施形態では、印刷モード、用紙種類、用紙サイズなどのパラメータは、Ｉ／Ｆ１７などを介してＰＣ２により設定されるものとしたが、プリンタ１の操作パネル１６において設定されるようにしてもよい。
【０１１６】
また、上記実施形態の画像処理では、ＣＰＵ１１によりレティネックス処理などを行うものとしたが、ＤＳＰ（Digital  Signal  Processor）により行ってもよい。ＤＳＰを用いると、より高速に積和演算などの処理を実行することができる。
【図面の簡単な説明】
【０１１７】
【図１】本発明の実施形態の画像処理プログラムを搭載したプリンタの電気的構成を示すブロック図である。
【図２】印刷パラメータを設定する画面を示す図である。
【図３】画像処理プログラムにより行われる前処理を示すフロー図である。
【図４】前処理に続いて実行される後処理を示すフローチャートである。
【図５】印刷モードが写真モードである場合に参照される写真モード用テーブルである。
【図６】印刷モードが普通モードである場合に参照される普通モード用テーブルである。
【図７】テーブルを参照する処理を示すフローチャートである。
【図８】第２の実施形態におけるテーブルを参照せずに縮小画像サイズを設定する処理を示すフローチャートである。
【図９】正規化を行うためのクリップ範囲について説明するための模式図である。
【符号の説明】
【０１１８】
１                        プリンタ
２                        パーソナルコンピュータ
１１                      ＣＰＵ
１２                      ＲＯＭ
１２ａ                    画像処理プログラムメモリ
１３                      ＲＡＭ
１３ａ                    元画像メモリ
１３ｂ                    レティネックス画像メモリ（記憶手段）
１３ｄ                    元画像サイズメモリ（元画像サイズ設定手段）
１３ｅ                    印刷パラメータメモリ（画質設定手段、記録媒体種類設定手段、記録媒体サイズ設定手段、解像度設定手段）
【図１】
2008060944.tif 000010
【図２】
2008060944.tif 000011
【図３】
2008060944.tif 000012
【図４】
2008060944.tif 000013
【図５】
2008060944.tif 000014
【図６】
2008060944.tif 000015
【図７】
2008060944.tif 000016
【図８】
2008060944.tif 000017
【図９】
2008060944.tif 000018